【手続補正書】
【提出日】平成26年10月28日(2014.10.28)
【手続補正１】
【補正対象書類名】明細書
【補正対象項目名】０００６
【補正方法】変更
【補正の内容】
【０００６】
図６（Ａ）は、理想的な状態における制御ＩＣのイネーブル端子の電圧Ｖsnsと入力交流電圧Ｖinとの関係を示している。この例では、入力交流電圧Ｖinが８０Ｖ以上になると制御ＩＣが動作を開始し、入力交流電圧Ｖinが６０Ｖ以下になると制御ＩＣが動作を停止する。イネーブル端子の電圧Ｖsnsが入力交流電圧Ｖinの８０Ｖに比例した動作開始電圧Ｖstart以上になると制御ＩＣが動作を開始し、電圧Ｖsnsが入力交流電圧Ｖinの６０Ｖに比例した動作停止電圧Ｖstop以下になると制御ＩＣが動作を停止する。このように、動作開始電圧Ｖstartは８０Ｖに対応し、動作停止電圧Ｖstopは６０Ｖに対応していなければならない。しかしながら、動作開始電圧Ｖstartや動作停止電圧Ｖstopは、さまざまな事情でばらついてしまう。
【手続補正２】
【補正対象書類名】明細書
【補正対象項目名】００２３
【補正方法】変更
【補正の内容】
【００２３】
（１）  第２のコンバータ１５１が動作を開始する前の各回路の動作
電源制御ＩＣ１１０のＶＳＥＮ端子には、電源制御ＩＣ１１０に動作を開始させるための第１電圧は、第１のコンバータ１０１によって生成される。まず、第１のコンバータ１０１のトランス１４０の補助巻線１４２の両端電圧は、抵抗１１２、ダイオード１１３およびコンデンサ１１４から構成された整流平滑回路により整流平滑される。整流平滑された電圧は、トランジスタ２０６、ダイオード２０７を介して、抵抗２０８と抵抗２０９とより構成された分圧回路に印加される。なお、トランジスタ２０６の電流流入端子と制御端子との間には電流制限抵抗２０５が接続されている。抵抗２０８と抵抗２０９とよって分圧された電圧がＶＳＥＮに印加される。この分圧された電圧は補助巻線１４２の両端電圧に比例した電圧である。このように、これらの回路は、第１のコンバータ１０１が備える第１のトランス１４０の補助巻線の電圧に比例した第１電圧を生成して電源制御ＩＣ１１０に印加する第１電圧生成回路として機能する。抵抗２０８と抵抗２０９の分圧比は、たとえば、入力交流電圧Ｖinが８０Ｖであるときに、分圧された電圧が動作開始閾値に一致するように設定される。動作開始閾値は動作開始電圧Ｖstartに比例した電圧である。
【手続補正３】
【補正対象書類名】明細書
【補正対象項目名】００２７
【補正方法】変更
【補正の内容】
【００２７】
（２）  第２のコンバータ１５１が動作を開始した後の各回路の動作
第２のコンバータ１５１が動作を開始すると、コントロールユニット１３３がトランジスタ２０６をＯＦＦする制御信号を、フォトカプラ１３２を通じてトランジスタ１３１に出力する。これにより、トランジスタ１３１の状態が切り替わり、それに応じてトランジスタ２１１の状態も切り替わる（ＯＮになる）。トランジスタ２１１がＯＮになると、トランジスタ２０６のベース電圧が引き下げられるため、最終的に、トランジスタ２０６がＯＦＦになる。なお、トランジスタ２１１の制御端子には電流制限抵抗２０３が接続されている。トランジスタ２０６がＯＦＦになれば、これまでＶＳＥＮ端子に供給されていた第１電圧が供給されなくなる。その代わりとして、本実施例では、スイッチングＦＥＴ１０７のドレイン・ソース間の電圧をダイオード２０１およびコンデンサ２０４で整流平滑し、かつ、抵抗２０２および抵抗２０９で分圧して生成された電圧（第２電圧）がＶＳＥＮ端子に印加される。第２電圧は入力交流電圧Ｖinの実効値に比例した電圧である。つまり、これらの回路は、第２のコンバータ１５１の１次側に印加されている電圧から交流電圧に比例した第２電圧を生成する第２電圧生成回路として機能している。第２電圧生成回路は一種の電圧源であるが、第２のコンバータ１５１が動作を開始すると、電圧を供給可能となる電圧源である。このように、ＶＳＥＮ端子に電圧を供給する電圧源は、第２のコンバータ１５１が動作を開始する前と後とでは切り替わることが、本実施例の特徴の１つとなっている。
【手続補正４】
【補正対象書類名】明細書
【補正対象項目名】００５４
【補正方法】変更
【補正の内容】
【００５４】
このように本発明の電源装置１００を画像形成装置８００に適用することで、画像形成装置８００が安定して動作するようになる。画像形成装置８００が安定して動作すれば、用紙上に形成される画像の品質を維持できるようになる。また、画像の形成に成功する確率が上がるため、本発明は、消耗品等の節約にも寄与するであろう。
【手続補正５】
【補正対象書類名】明細書
【補正対象項目名】００１０
【補正方法】変更
【補正の内容】
【００１０】
本発明によれば、
入力された交流電圧を整流平滑して出力する整流平滑回路と、
前記整流平滑回路から出力された電圧を第１のトランスにより変換して出力する第１のコンバータと、
前記整流平滑回路から出力された電圧を第２のトランスにより変換して出力する第２のコンバータと
を備えた電源装置であって、
前記第２のコンバータは、
前記整流平滑回路の２つの出力端の一方に電流流入端子が接続された第１のスイッチング素子と、
前記整流平滑回路の２つの出力端の他方に電流流出端子が接続され、電流流入端子が前記第１のスイッチング素子の電流流出端子に接続された第２のスイッチング素子と、
前記第１のスイッチング素子の制御端子と前記第２のスイッチング素子の制御端子とに制御信号を出力することで前記第１のスイッチング素子と前記第２のスイッチング素子とをスイッチング動作させる制御回路と、
前記第１のコンバータが備える前記第１のトランスの補助巻線の電圧に応じた第１電圧を生成して前記制御回路に印加する第１電圧生成回路と、
前記第２のコンバータの１次側に印加されている電圧から前記交流電圧に応じた第２電圧を生成する第２電圧生成回路と
を備え、
前記制御回路は、前記第１電圧が動作開始閾値以上になると動作を開始し、前記第２電圧が前記動作開始閾値よりも小さな動作制限閾値以下になると自己の動作を停止ないしは制限することを特徴とする電源装置が提供される。
【手続補正６】
【補正対象書類名】特許請求の範囲
【補正対象項目名】全文
【補正方法】変更
【補正の内容】
【特許請求の範囲】
【請求項１】
入力された交流電圧を整流平滑して出力する整流平滑回路と、
前記整流平滑回路から出力された電圧を第１のトランスにより変換して出力する第１のコンバータと、
前記整流平滑回路から出力された電圧を第２のトランスにより変換して出力する第２のコンバータと
を備えた電源装置であって、
前記第２のコンバータは、
前記整流平滑回路の２つの出力端の一方に電流流入端子が接続された第１のスイッチング素子と、
前記整流平滑回路の２つの出力端の他方に電流流出端子が接続され、電流流入端子が前記第１のスイッチング素子の電流流出端子に接続された第２のスイッチング素子と、
前記第１のスイッチング素子の制御端子と前記第２のスイッチング素子の制御端子とに制御信号を出力することで前記第１のスイッチング素子と前記第２のスイッチング素子とをスイッチング動作させる制御回路と、
前記第１のコンバータが備える前記第１のトランスの補助巻線の電圧に応じた第１電圧を生成して前記制御回路に印加する第１電圧生成回路と、
前記第２のコンバータの１次側に印加されている電圧から前記交流電圧に応じた第２電圧を生成する第２電圧生成回路と
を備え、
前記制御回路は、前記第１電圧が動作開始閾値以上になると動作を開始し、前記第２電圧が前記動作開始閾値よりも小さな動作制限閾値以下になると自己の動作を停止ないしは制限することを特徴とする電源装置。
【請求項２】
前記制御回路は、当該制御回路が動作を開始する際に前記第１電圧が印加され、当該制御回路が動作を開始すると前記第２電圧が印加される電圧検出端子を備え、
前記制御回路は、前記電圧検出端子に印加されている前記第１電圧が前記動作開始閾値以上になると動作を開始し、前記電圧検出端子に印加されている前記第２電圧が、前記動作制限閾値以下になると動作を制限することを特徴とする請求項１に記載の電源装置。
【請求項３】
前記電圧検出端子には、当該電圧検出端子に印加されている電圧が前記第１電圧から前記第２電圧に切り替えられる際に当該電圧検出端子に印加されている前記第１電圧を維持するコンデンサが接続されていることを特徴とする請求項２に記載の電源装置。
【請求項４】
前記第２電圧が前記動作制限閾値以下になると、前記制御回路は、動作を停止するか、または、前記第１のスイッチング素子と前記第２のスイッチング素子とのスイッチング周波数を増加することを特徴とする請求項１ないし３のいずれか１項に記載の電源装置。
【請求項５】
前記制御回路は、当該制御回路が動作を開始する際に前記第１電圧が印加される電圧検出端子を備え、
前記制御回路は、前記電圧検出端子に印加されている前記第１電圧が前記動作開始閾値以上になると動作を開始し、
前記第２のコンバータは、
前記第２電圧と、前記動作制限閾値とを比較するコンパレータと、
前記第２電圧が前記動作制限閾値を超えている場合、前記第１のコンバータから前記制御回路に駆動電力を供給し、前記第２電圧が前記動作制限閾値以下になった場合、前記第１のコンバータからの前記制御回路への前記駆動電力の供給を遮断する遮断回路と
を備えていることを特徴とする請求項１に記載の電源装置。
【請求項６】
前記第２電圧生成回路は、前記第２のコンバータの１次側に印加されている電圧を、前記第１のスイッチング素子の電流流出端子と、前記第２のスイッチング素子の電流流入端子との接続点から取得することを特徴とする請求項１ないし５のいずれか１項に記載の電源装置。
【請求項７】
前記第２電圧生成回路は、前記第２のコンバータの１次側に印加されている電圧を、前記整流平滑回路の平滑コンデンサの両端電圧から取得することを特徴とする請求項１ないし４のいずれか１項に記載の電源装置。
【請求項８】
前記制御回路が動作を停止すると、前記第１のスイッチング素子と前記第２のスイッチング素子もスイッチング動作を停止することを特徴とする請求項１ないし７のいずれか１項に記載の電源装置。
【請求項９】
画像形成装置であって、
像担持体と、
前記像担持体を露光して潜像を形成する露光装置と、
トナーを用いて前記潜像を現像してトナー像を形成する現像装置と、
前記トナー像を前記像担持体から用紙に転写する転写装置と、
前記トナー像を前記用紙に定着させる定着装置と、
前記像担持体または前記定着装置を駆動する電力を供給する、請求項１ないし８のいずれか１項に記載の電源装置と
を備えることを特徴とする画像形成装置。